【手続補正書】
【提出日】平成28年5月13日(2016.5.13)
【手続補正１】
【補正対象書類名】特許請求の範囲
【補正対象項目名】全文
【補正方法】変更
【補正の内容】
【特許請求の範囲】
【請求項１】
・少なくとも１種の変性アルキルフェノール−アルデヒド樹脂と、
・少なくとも１種のフィルター通過性添加剤と、
を含む、添加剤組成物であって、
前記変性アルキルフェノール−アルデヒド樹脂は、
・アルキルフェノール−アルデヒド縮合樹脂と、
・炭素数１〜８の少なくとも１種のアルデヒドおよび／または少なくとも１種のケトンと、
・炭素数４〜３０のアルキルモノアミン部位又はアルキルポリアミン部位（アルキルアミン部位）を少なくとも１個有する、少なくとも１種の炭化水素化合物とのマンニッヒ反応によって得られる少なくとも１種の変性アルキルフェノール−アルデヒド樹脂であり、
前記アルキルフェノール−アルデヒド縮合樹脂が、
・少なくとも１種のアルキルフェノールであって、そのアルキル基が直鎖状の又は分岐鎖状の少なくとも１個の炭素数１〜３０のアルキル置換基である少なくとも１種のアルキルフェノールと、
・炭素数１〜８の少なくとも１種のアルデヒドおよび／または少なくとも１種のケトンとの縮合反応によって得られるものであり；
前記フィルター通過性添加剤が、
・Ｃ４〜Ｃ２２アルキル（メタ）アクリレート類と、Ｃ２０〜Ｃ２４αオレフィン類と、炭素数４〜３０の炭化水素鎖が窒素原子に結合しているＮ−置換マレイミド類とのターポリマー、
・Ｃ１〜Ｃ４０アルキル（メタ）アクリレート類によるホモポリマー、および
・直鎖状の又は分岐鎖状の、飽和又は不飽和の、少なくとも１個の炭化水素鎖を有する炭素数４〜３０のモノ又はポリカルボン酸のアンモニウム塩から選択される、添加剤組成物。
【請求項２】
請求項１に記載の添加剤組成物において、
・少なくとも１種の変性アルキルフェノール−アルデヒド樹脂と、
・少なくとも１種のフィルター通過性添加剤と、
を含み、
前記変性アルキルフェノール−アルデヒド樹脂は、
・アルキルフェノール−アルデヒド縮合樹脂と、
・炭素数１〜８の少なくとも１種のアルデヒドおよび／または少なくとも１種のケトンと、
・炭素数４〜３０のアルキルモノアミン部位又はアルキルポリアミン部位（アルキルアミン部位）を少なくとも１個有する、少なくとも１種の炭化水素化合物と
のマンニッヒ反応によって得られ、
前記アルキルフェノール−アルデヒド縮合樹脂が、
・少なくとも１種のアルキルフェノールであって、そのアルキル基が直鎖状の又は分岐鎖状の少なくとも１個の炭素数１〜３０のアルキル置換基である少なくとも１種のアルキルフェノールと、
・炭素数１〜８の少なくとも１種のアルデヒドおよび／または少なくとも１種のケトンとの縮合反応によって得られるものであり、
前記フィルター通過性添加剤が、
・Ｃ１〜Ｃ４０アルキル（メタ）アクリレート類のホモポリマー、および
・直鎖状の又は分岐鎖状の、飽和又は不飽和の、少なくとも１個の炭化水素鎖を有する炭素数４〜３０のモノ又はポリカルボン酸のアンモニウム塩
から選択される、添加剤組成物。
【請求項３】
請求項１または２に記載の添加剤組成物において、
・少なくとも１種の変性アルキルフェノール−アルデヒド樹脂と、
・Ｃ１〜Ｃ４０アルキル（メタ）アクリレート類のホモポリマーから選択される、少なくとも１種の第１のフィルター通過性添加剤と、
・少なくとも１種の第２のフィルター通過性添加剤と、
を含み、
前記第２のフィルター通過性添加剤が、
・Ｃ４〜Ｃ２２アルキル（メタ）アクリレート類と、Ｃ２０〜Ｃ２４αオレフィン類と、炭素数４〜３０の炭化水素鎖が窒素原子に結合しているＮ−置換マレイミド類とのターポリマー、および
・直鎖状の又は分岐鎖状の、飽和又は不飽和の、少なくとも１個の炭化水素鎖を有する炭素数４〜３０のモノ又はポリカルボン酸のアンモニウム塩
から選択される、添加剤組成物。
【請求項４】
請求項１から３のいずれか一項に記載の添加剤組成物において、アンモニウム塩が、直鎖状の又は分岐鎖状の、飽和又は不飽和の、少なくとも１個の炭化水素鎖を有する炭素数４〜３０のモノ又はポリカルボン酸と、脂肪族アミンおよび／またはエトキシ化脂肪族アミンとのアンモニウム塩である、添加剤組成物。
【請求項５】
請求項１から４のいずれか一項に記載の添加剤組成物において、変性アルキルフェノール−アルデヒド樹脂が、少なくとも１種のアルキルフェノールであって、そのアルキル基がパラ位のアルキル置換基である少なくとも１種のアルキルフェノールから得られる、添加剤組成物。
【請求項６】
請求項１から５のいずれか一項に記載の添加剤組成物において、変性アルキルフェノール−アルデヒド樹脂が、ホルムアルデヒド、アセトアルデヒド、プロピオンアルデヒド、ブチルアルデヒド、２−エチルヘキサナール、ベンズアルデヒドおよびアセトンから選択される少なくとも１種のアルデヒドおよび／またはケトンから得られる、添加剤組成物。
【請求項７】
請求項１から６のいずれか一項に記載の添加剤組成物において、変性アルキルフェノール−アルデヒド樹脂が、少なくとも１個の第一級アミン基を有する少なくとも１種のアルキルアミンから得られる、添加剤組成物。
【請求項８】
請求項１から７のいずれか一項に記載の添加剤組成物において、変性アルキルフェノール−アルデヒド樹脂が、ｐ−ノニルフェノールと、ホルムアルデヒドと、少なくとも１個のアルキルモノアミン部位又はアルキルポリアミン部位を有する少なくとも１種の炭化水素化合物とから得られる、添加剤組成物。
【請求項９】
請求項１から８のいずれか一項に記載の添加剤組成物において、変性アルキルフェノール−アルデヒド樹脂が、少なくとも１種の脂肪族アルキルアミン又は脂肪族アルキルアミンの混合物から得られる、添加剤組成物。
【請求項１０】
請求項１から９のいずれか一項に記載の添加剤組成物において、変性アルキルフェノール−アルデヒド樹脂は、芳香族系溶剤が３０質量％となるように当該樹脂を希釈した溶液において、動的粘弾性レオメータを用いてせん断速度１００ｓ−１で測定される５０℃における粘度が、１，０００〜１０，０００ｍＰａ・ｓである、添加剤組成物。
【請求項１１】
請求項１から１０のいずれか一項に記載の添加剤組成物において、さらに、
エチレンとビニルエステルおよび／またはアクリル酸エステルとの、コポリマーおよびターポリマーから選択される、少なくとも１種のさらなるフィルター通過性添加剤、
を含む、添加剤組成物。
【請求項１２】
請求項１１に記載の添加剤組成物において、さらなるフィルター通過性添加剤が、エチレンとビニルエステルとのコポリマーから選択される、添加剤組成物。
【請求項１３】
請求項１から１０のいずれか一項に記載の添加剤組成物の、内燃機関用燃料または液体炭化水素燃料中における使用であって、ワックスの分散および／または沈殿に関する変性アルキルフェノール−アルデヒド樹脂の効果に影響を及ぼすことのない、使用。
【請求項１４】
請求項１３に記載の使用において、内燃機関用燃料または液体炭化水素燃料がエチレンとビニルエステルおよび／またはアクリル酸エステルとの、コポリマーおよびターポリマーから選択される、少なくとも１種のフィルター通過性添加剤を含み、その低温特性を向上させる使用。
【請求項１５】
請求項１１または１２に記載の添加剤組成物の、内燃機関用燃料および液体炭化水素燃料中における使用であって、内燃機関用燃料および液体炭化水素燃料の低温特性を向上させる使用。
【請求項１６】
請求項１５に記載の使用において、内燃機関用燃料および液体炭化水素燃料の目詰まり点を低下させると共に、当該燃料中のワックスの分散度を低減させておよび／または当該燃料中のワックスの沈殿を制限する、使用。
【請求項１７】
請求項１３から１６のいずれか一項に記載の使用において、内燃機関用燃料および／または燃料は、その沸点範囲が１２０〜５００℃である、使用。
【請求項１８】
請求項１７に記載の使用において、内燃機関用燃料および／または燃料は、ジェット燃料、軽油、ディーゼル燃料、家庭用燃料油および重油から選択される、使用。
【請求項１９】
沸点範囲が主に１００〜５００℃である内燃機関用燃料または液体炭化水素燃料の組成物であって、
主成分として、炭化水素化合物および／または植物油および／または動物油および／または植物油のエステルおよび／または動物油のエステルおよび／または動物系バイオディーゼルおよび／または植物系バイオディーゼルと、
副成分として、請求項１から１２のいずれか一項に記載の少なくとも１種の添加剤組成物と、
を含む、燃料組成物。
【請求項２０】
請求項１９に記載の燃料組成物であって、請求項１から１２のいずれか一項に記載の少なくとも１種の添加剤組成物を５〜５，０００質量ｐｐｍ含む、燃料組成物。
【手続補正２】
【補正対象書類名】明細書
【補正対象項目名】０１２５
【補正方法】変更
【補正の内容】
【０１２５】
このように、ＥＶＡ１を配合した内燃機関用燃料または炭化水素燃料中において、本発明にかかる添加剤組成物Ａ１〜Ａ６を使用することにより、沈殿防止性能の向上と共にＣＦＰＰのブースター効果が得られることが分かる。
なお、本発明は、実施の態様として以下の内容を含む。
〔態様１〕
・少なくとも１種の変性アルキルフェノール−アルデヒド樹脂と、
・少なくとも１種のフィルター通過性添加剤と、
を含む、添加剤組成物であって、
前記変性アルキルフェノール−アルデヒド樹脂は、
・アルキルフェノール−アルデヒド縮合樹脂と、
・炭素数１〜８（好ましくは炭素数１〜４）の少なくとも１種のアルデヒドおよび／または少なくとも１種のケトンと、
・炭素数４〜３０のアルキルモノアミン部位又はアルキルポリアミン部位（アルキルアミン部位）を少なくとも１個有する、少なくとも１種の炭化水素化合物とのマンニッヒ反応によって得られる少なくとも１種の変性アルキルフェノール−アルデヒド樹脂であり、
前記アルキルフェノール−アルデヒド縮合樹脂が、
・少なくとも１種のアルキルフェノールであって、そのアルキル基が直鎖状の又は分岐鎖状の少なくとも１個の炭素数１〜３０のアルキル置換基である少なくとも１種のアルキルフェノール（好ましくはモノアルキルフェノール）と、
・炭素数１〜８（好ましくは炭素数１〜４）の少なくとも１種のアルデヒドおよび／または少なくとも１種のケトンとの縮合反応によって得られるものであり；
前記フィルター通過性添加剤が、
・Ｃ４〜Ｃ２２アルキル（メタ）アクリレート類と、Ｃ２０〜Ｃ２４αオレフィン類と、炭素数４〜３０の炭化水素鎖が窒素原子に結合しているＮ−置換マレイミド類とのターポリマー、
・Ｃ１〜Ｃ４０アルキル（メタ）アクリレート類によるホモポリマー（好ましくはＣ８〜Ｃ２４アルキルポリアクリレート）、および
・直鎖状の又は分岐鎖状の、飽和又は不飽和の、少なくとも１個の炭化水素鎖を有する炭素数４〜３０のモノ又はポリカルボン酸のアンモニウム塩から選択される、添加剤組成物。
〔態様２〕
態様１に記載の添加剤組成物において、
・少なくとも１種の変性アルキルフェノール−アルデヒド樹脂と、
・少なくとも１種のフィルター通過性添加剤と、
を含み、
前記変性アルキルフェノール−アルデヒド樹脂は、
・アルキルフェノール−アルデヒド縮合樹脂と、
・炭素数１〜８（好ましくは炭素数１〜４）の少なくとも１種のアルデヒドおよび／または少なくとも１種のケトンと、
・炭素数４〜３０のアルキルモノアミン部位又はアルキルポリアミン部位（アルキルアミン部位）を少なくとも１個有する、少なくとも１種の炭化水素化合物と
のマンニッヒ反応によって得られ、
前記アルキルフェノール−アルデヒド縮合樹脂が、
・少なくとも１種のアルキルフェノールであって、そのアルキル基が直鎖状の又は分岐鎖状の少なくとも１個の炭素数１〜３０のアルキル置換基である少なくとも１種のアルキルフェノール（好ましくはモノアルキルフェノール）と、
・炭素数１〜８（好ましくは炭素数１〜４）の少なくとも１種のアルデヒドおよび／または少なくとも１種のケトンとの縮合反応によって得られるものであり、
前記フィルター通過性添加剤が、
・Ｃ１〜Ｃ４０アルキル（メタ）アクリレート類のホモポリマー（好ましくはＣ８〜Ｃ２４アルキルポリアクリレート）、および
・直鎖状の又は分岐鎖状の、飽和又は不飽和の、少なくとも１個の炭化水素鎖を有する炭素数４〜３０のモノ又はポリカルボン酸のアンモニウム塩
から選択される、添加剤組成物。
〔態様３〕
態様１または２に記載の添加剤組成物において、
・少なくとも１種の変性アルキルフェノール−アルデヒド樹脂と、
・Ｃ１〜Ｃ４０アルキル（メタ）アクリレート類のホモポリマー（好ましくはＣ８〜Ｃ２４アルキルポリアクリレート）から選択される、少なくとも１種の第１のフィルター通過性添加剤と、
・少なくとも１種の第２のフィルター通過性添加剤と、
を含み、
前記第２のフィルター通過性添加剤が、
・Ｃ４〜Ｃ２２アルキル（メタ）アクリレート類と、Ｃ２０〜Ｃ２４αオレフィン類と、炭素数４〜３０の炭化水素鎖が窒素原子に結合しているＮ−置換マレイミド類とのターポリマー、および
・直鎖状の又は分岐鎖状の、飽和又は不飽和の、少なくとも１個の炭化水素鎖を有する炭素数４〜３０のモノ又はポリカルボン酸のアンモニウム塩
から選択される、添加剤組成物。
〔態様４〕
態様１から３のいずれか一態様に記載の添加剤組成物において、アンモニウム塩が、直鎖状の又は分岐鎖状の、飽和又は不飽和の、少なくとも１個の炭化水素鎖を有する炭素数４〜３０のモノ又はポリカルボン酸と、脂肪族アミンおよび／またはエトキシ化脂肪族アミンとのアンモニウム塩である、添加剤組成物。
〔態様５〕
態様１から４のいずれか一態様に記載の添加剤組成物において、変性アルキルフェノール−アルデヒド樹脂が、少なくとも１種のアルキルフェノールであって、そのアルキル基がパラ位のアルキル置換基である少なくとも１種のアルキルフェノール（好ましくはｐ−ノニルフェノール）から得られる、添加剤組成物。
〔態様６〕
態様１から５のいずれか一態様に記載の添加剤組成物において、変性アルキルフェノール−アルデヒド樹脂が、ホルムアルデヒド、アセトアルデヒド、プロピオンアルデヒド、ブチルアルデヒド、２−エチルヘキサナール、ベンズアルデヒドおよびアセトンから選択される少なくとも１種のアルデヒドおよび／またはケトン（好ましくは少なくともホルムアルデヒド）から得られる、添加剤組成物。
〔態様７〕
態様１から６のいずれか一態様に記載の添加剤組成物において、変性アルキルフェノール−アルデヒド樹脂が、少なくとも１個の第一級アミン基を有する少なくとも１種のアルキルアミン（有利には、全てのアミン部位が第一級アミン基である少なくとも１種の化合物）から得られる、添加剤組成物。
〔態様８〕
態様１から７のいずれか一態様に記載の添加剤組成物において、変性アルキルフェノール−アルデヒド樹脂が、ｐ−ノニルフェノールと、ホルムアルデヒドと、少なくとも１個のアルキルモノアミン部位又はアルキルポリアミン部位を有する少なくとも１種の炭化水素化合物とから得られる、添加剤組成物。
〔態様９〕
態様１から８のいずれか一態様に記載の添加剤組成物において、変性アルキルフェノール−アルデヒド樹脂が、少なくとも１種の脂肪族アルキルアミン又は脂肪族アルキルアミンの混合物（好ましくは炭素数１２〜２４の、より好ましくは炭素数１２〜２２のアルキルアミン）から得られる、添加剤組成物。
〔態様１０〕
態様１から９のいずれか一態様に記載の添加剤組成物において、変性アルキルフェノール−アルデヒド樹脂は、芳香族系溶剤が３０質量％となるように当該樹脂を希釈した溶液において、動的粘弾性レオメータを用いてせん断速度１００ｓ−１で測定される５０℃における粘度が、１，０００〜１０，０００ｍＰａ・ｓ（好ましくは１，５００〜６，０００ｍＰａ・ｓ、有利には２，５００〜５，０００ｍＰａ・ｓ）である、添加剤組成物。
〔態様１１〕
態様１から１０のいずれか一態様に記載の添加剤組成物において、さらに、
エチレンとビニルエステルおよび／またはアクリル酸エステルとの、コポリマーおよびターポリマー（例えばＥＶＡおよび／またはＥＶＰ）から選択される、少なくとも１種のさらなるフィルター通過性添加剤、
を含む、添加剤組成物。
〔態様１２〕
態様１１に記載の添加剤組成物において、さらなるフィルター通過性添加剤が、エチレンとビニルエステルとのコポリマー（ＥＶＡ）から選択される、添加剤組成物。
〔態様１３〕
態様１から１０のいずれか一態様に記載の添加剤組成物の、内燃機関用燃料または液体炭化水素燃料（好ましくは、エチレンとビニルエステルおよび／またはアクリル酸エステルとの、コポリマーおよびターポリマーから選択される、少なくとも１種のフィルター通過性添加剤を含む内燃機関用燃料または液体炭化水素燃料）中における使用であって、その低温特性を向上させる使用［特には、ワックスの分散および／または沈殿に関する変性アルキルフェノール−アルデヒド樹脂の効果に影響を及ぼすことなく、ＮＦ  ＥＮ  １１６規格に準拠した目詰まり点（ＣＦＰＰ）の測定値を低下させる使用］。
〔態様１４〕
態様１１または１２に記載の添加剤組成物の、内燃機関用燃料および液体炭化水素燃料中における使用であって、内燃機関用燃料および液体炭化水素燃料の低温特性を向上させる使用。
〔態様１５〕
態様１４に記載の使用において、内燃機関用燃料および液体炭化水素燃料の目詰まり点を低下させると共に、当該燃料中のワックスの分散度を低減させておよび／または当該燃料中のワックスの沈殿を制限する、使用。
〔態様１６〕
態様１３から１５のいずれか一態様に記載の使用において、内燃機関用燃料および／または燃料は、その沸点範囲が１２０〜５００℃（好ましくは１４０〜４００℃）である（さらに、有利にはジェット燃料、軽油、ディーゼル燃料、家庭用燃料油および重油から選択される）、使用。
〔態様１７〕
沸点範囲が主に１００〜５００℃である内燃機関用燃料または液体炭化水素燃料の組成物であって、
主成分として、炭化水素化合物および／または植物油および／または動物油および／または植物油のエステルおよび／または動物油のエステルおよび／または動物系バイオディーゼルおよび／または植物系バイオディーゼルと、
副成分として（好ましくは５〜５，０００質量ｐｐｍの）、態様１から１２のいずれか一態様に記載の少なくとも１種の添加剤組成物と、
を含む、燃料組成物。